(57)【特許請求の範囲】
【請求項１】
登録印鑑の印影画像を格納する登録印保持手段と、
被照合印鑑の印影画像を格納する被照合印保持手段と、
前記登録印鑑の印影画像と前記被照合印鑑の印影画像の位置を合せる位置合せ手段と、
前記位置合せを行った登録印鑑の印影画像と被照合印鑑の印影画像のうちいずれか一方の印鑑の印影画像を任意の距離で任意の方向へ移動したずらし印影画像を生成するずらし処理手段と、
任意の時間周期で切替信号を発生する切替信号発生手段と、
前記切替信号発生手段の切替信号に基き、前記ずらし処理手段で生成したずらし印影画像と前記ずらし処理手段でずらし印影画像を生成していない印鑑の印影画像を切替えて、いずれか一方の印鑑の印影画像を切替印影画像として出力する印影切替手段と、
前記切替印影画像を前記切替信号の時間周期に従って交互に出力する表示手段を有することを特徴とする印鑑照合装置。
【請求項２】
請求項１に記載の印鑑照合装置において、
前記登録印鑑の印影画像と前記被照合印鑑の印影画像の中心を合せる平行移動量と向きを合せる回転角度を位置合せ量として算出する位置合せ量算出手段を有し、
前記位置合せ手段は、前記位置合せ量算出手段が算出した平行移動量と回転角度に基づき、前記登録印鑑の印影画像と前記被照合印鑑の印影画像の位置を合せることを特徴とする印鑑照合装置。
【請求項３】
請求項１または２に記載の印鑑照合装置において、
前記位置合せを行った登録印鑑の印影画像と被照合印鑑の印影画像のうちいずれか一方の印鑑の印影画像を移動させる距離および方向をずらし量として発生するずらし量発生手段を有し、
前記ずらし処理手段は、前記ずらし量発生手段が発生したずらし量に基づいて、前記位置合せを行った登録印鑑の印影画像と被照合印鑑の印影画像のうちいずれか一方の印鑑の印影画像を移動したずらし印影画像を生成することを特徴とする印鑑照合装置。
【請求項４】
請求項１〜３のいずれかに記載の印鑑照合装置において、
前記ずらし処理手段は、前記ずらし量発生手段が発生したずらし量に基づいて、前記位置合せを行った登録印鑑の印影画像を移動したずらし印影画像を生成することを特徴とする印鑑照合装置。
【請求項５】
請求項１〜３のいずれかに記載の印鑑照合装置において、
前記ずらし処理手段は、前記ずらし量発生手段が発生したずらし量に基づいて、前記位置合せを行った被照合印鑑の印影画像を移動したずらし印影画像を生成することを特徴とする印鑑照合装置。
【請求項６】
請求項１〜５のいずれかに記載の印鑑照合装置において、
前記ずらし量の方向は、平行方向とすることを特徴とする印鑑照合装置。
【請求項７】
登録印鑑の印影画像と被照合印鑑の印影画像を格納し、前記登録印鑑の印影画像と前記被照合印鑑の印影画像の位置を合せる位置合せ処理と、
前記位置合せを行った登録印鑑の印影画像と被照合印鑑の印影画像のうちいずれか一方の印鑑の印影画像を任意の距離で任意の方向へ移動したずらし印影画像を生成するずらし処理処理と、
任意の時間周期で切替信号を発生する切替信号発生処理と、
前記切替信号発生手段の切替信号に基き、前記ずらし処理手段で生成したずらし印影画像と前記ずらし処理手段でずらし印影画像を生成していない印鑑の印影画像を切替えて、いずれか一方の印鑑の印影画像を切替印影画像として出力する印影切替処理と、
前記切替印影画像を前記切替信号の時間周期に従って交互に出力する表示処理を有することを特徴とする印鑑照合方法。
【発明の詳細な説明】
【０００１】
【発明の属する技術分野】
本発明は、印鑑照合方法に関し、特に目視による印鑑照合をＣＲＴ等の表示装置上で行う場合に、２つの印影の本質的な相違を、朱肉の付着具合や押印むら、押印された帳票を読み取るスキャナーによる画像の歪み等に影響されずに、印影パターンから正確に判別できるようにした印鑑照合装置および方法に関する。
【０００２】
【従来の技術】
文献１  「特開平４−３５９３８３」
従来の印鑑照合方法では、文献１に開示されているように、登録印鑑と被照合印鑑を同じ位置に時間周期的に交互に表示することにより、印鑑の異なっている部分がちらついて見えることを利用して照合判別する方法（以下、交互表示方法と呼ぶ）がある。
【０００３】
【発明が解決しようとする課題】
文献１に記載されている「交互表示方法」による照合判定では、登録印鑑と被照合印鑑とを交互に表示させながら、印影のちらついている部分がないかを判断している。押印した帳票をスキャナー等で読込んだ画像を表示して照合判別する場合において、登録印鑑と被照合印鑑が同一のときは、異なる部分がないので印影はちらついて見えない。しかし、同一の印鑑であるにもかかわらず印影の微妙な差により印影が変形しているように見え、異なる印鑑であると判断してしまうという問題がある。
【０００４】
このような印影の微妙な差が発生する原因として、以下の（ａ）から（ｅ）が考えられる。（ａ）朱肉の付着具合。（ｂ）  押印むら。（ｃ）  押印後の帳票の伸縮。（ｄ）スキャナー等の読取り装置による画像の歪み。（ｅ）印影の位置合せにおける誤差。
【０００５】
この内、（ａ）、（ｂ）、（ｃ）、（ｄ）の原因に対しては、スキャナー等で読み取って得られた画像を特殊な処理により修正しない限り印影の微妙な差を除去することはできない。しかし、特殊な処理を施して画像を修正することは、印影を改ざんしないという絶対的な保証がなけらばならず、実現は困難である。
【０００６】
また、（ｅ）についても、位置合せの誤差をゼロにするということは困難である。
【０００７】
印影の微妙な差が印影の変形として認識される原因として、以下の２つが考えられる。（Ａ）人間の視覚特性として視覚上異なるところに注目し易い。（Ｂ）視覚上異なるところを画像の変形として認識し易い。
【０００８】
このような点から、本発明は登録印影と被照合印影を同じ位置に位置合せをした後、どちらか一方の印影を数画素程度ずらして交互に表示する方法を採ることにより、印影の微妙な差で印影が変形して見えることを原因とする誤判別を防ぐ印鑑照合装置を提供することを目的とする。
【０００９】
【課題を解決するための手段】
係る課題を解決するため、本発明は「交互表示方法」において以下の構成を採る。
【００１０】
登録印鑑の印影画像を格納する登録印保持手段と、被照合印鑑の印影画像を格納する被照合印保持手段と、登録印鑑の印影画像と被照合印鑑の印影画像の位置を合せる位置合せ手段と、位置合せを行った登録印鑑の印影画像と被照合印鑑の印影画像のうちいずれか一方の印鑑の印影画像を任意の距離で任意の方向へ移動したずらし印影画像を生成するずらし処理手段と、任意の時間周期で切替信号を発生する切替信号発生手段と、切替信号発生手段の切替信号に基き、ずらし処理手段で生成したずらし印影画像とずらし処理手段でずらし印影画像を生成していない印鑑の印影画像を切替えて、いずれか一方の印鑑の印影画像を切替印影画像として出力する印影切替手段と、切替印影画像を切替信号の時間周期に従って交互に出力する表示手段を有することを特徴とする印鑑照合装置を提供する。
【００１１】
また、登録印鑑の印影画像と被照合印鑑の印影画像の中心を合せる平行移動量と向きを合せる回転角度を位置合せ量として算出する位置合せ量算出手段を有し、この位置合せ手段は、位置合せ量算出手段が算出した平行移動量と回転角度に基づき、登録印鑑の印影画像と被照合印鑑の印影画像の位置を合せる。
【００１２】
さらに、位置合せを行った登録印鑑の印影画像と被照合印鑑の印影画像のうちいずれか一方の印鑑の印影画像を移動させる距離および方向をずらし量として発生するずらし量発生手段を有し、このずらし処理手段は、ずらし量発生手段が発生したずらし量に基づいて、位置合せを行った登録印鑑の印影画像と被照合印鑑の印影画像のうちいずれか一方の印鑑の印影画像を移動したずらし印影画像を生成する。
【００１３】
【発明の実施の形態】
以下、本発明の実施形態に係る印鑑照合装置について、図面を用いて詳細に説明する。
【００１４】
（Ａ−１）本実施形態の構成
図１に、本発明の印鑑照合装置の実施形態を示すブロック構成図を示す。
【００１５】
図１において、印鑑照合装置は、登録印保持部１、被照合印保持部２、位置合せ量算出部３、位置合せ処理部４、ずらし量発生部５、ずらし処理部６、切替信号発生部７、印影切替部８、表示制御部９を有する。また、図示しないが、印鑑照合判定者が口座番号等を入力する入力装置を有している。
【００１６】
登録印保持部１は、登録印鑑の印影を対応する口座番号等と共に保管したファイル（図示省略）から、照合の対象となる登録印鑑の印影画像を読み出して一時記憶するメモリ等である。
【００１７】
被照合印保持部２は、登録印鑑と一致するかどうかの照合を受ける被照合印鑑の印影を、図示省略した入力スキャナ部によりデジタル化した印影画像を一時記憶するメモリ等である。
【００１８】
位置合せ量算出部３は、登録印保持部１から登録印影画像と被照合印保持部２から被照合印影画像を受け取り、登録印影画像と被照合印影画像の位置を合せるための位置合せ量を求める。位置合せ量は、登録印影画像と被照合印影画像の中心点を合せるための平行移動量と、中心点を合せた後に印影画像の向きを合せるための回転角度から成る。この中心点合せの平行移動量と印影画像の向きを合せる回転角度の求め方は従来から用いられている方法（例えば、特開昭５４−１４９４３０に開示されている方法等）で良い。求めた位置合せ量（平行移動量と回転角度）は、位置合せ処理部４へ送られる。
【００１９】
位置合せ処理部４は、位置合せ量算出部３から受け取った位置合せ量（平行移動量と回転角度）に基き、被照合印保持部２の被照合印影画像を平行移動した後、回転処理を行い登録印影画像と被照合印影画像の位置を合せる。位置を合せた被照合印影画像は印影切替部８に送られる。画像の平行移動と回転処理は、二次元の一般的な座標変換処理で良い（例えば、コンピュータグラフィックス技術で一般的な二次元座標変換方法等）。
【００２０】
ずらし量発生部５は、登録印影画像と被照合印影画像の位置合せを行った後、登録印影画像を被照合印影画像に対して、数画素程度ずらして表示するためのずらし量を発生する。ずらし量は、登録印影画像の平行移動量であり、距離および方向から成る。発生したずらし量は、ずらし処理部６へ送られる。ずらし量としては、例えばＣＲＴ表示装置上で２ｍｍ上方に移動するように発生させる。
【００２１】
ずらし処理部６は、ずらし量発生部５から得たずらし量（平行移動量）に基づき、登録印保持部１の登録印影画像を平行移動させた画像を作成する。
【００２２】
図３に、位置合せ処理部４で中心点（Ｏ）に基づき登録印影画像と被照合印影画像の位置合せを行った後、登録印影画像を被照合印鑑画像に対し、２ｍｍ上方に平行方向に移動した例を示す。登録印影画像の枠を点線、被照合印影画像の枠を実線で表す。平行移動した登録画像の印影画像は印影切替部８へ送られる。
【００２３】
切替信号発生部７は、一定時間周期毎に信号を発生させる機能を有する。この発生した信号は、印影切替部８に送られる。
【００２４】
印影切替部８は、ずらし処理部６によりずらされた登録印影画像および位置合せ処理部４により位置合せされた被照合印影画像のどちらか一方の印影画像全体を出力する機能を有する。登録印影画像と被照合印影画像のどちらを出力するかは内部に持つ印影選択フラグ（例えば、印影選択フラグがＯＮの場合はずらされた登録印影、ＯＦＦの場合は位置合せされた被照合印影）に従って行う。この印影選択フラグは、切替信号発生部７からの信号を受けると、フラグの値を反転（ＯＮならばＯＦＦに、ＯＦＦならばＯＮに変換）する。従って、切替信号発生部７から信号が印影切替部８に入力される度に、印影切替部８が出力する印影は、ずらされた登録印影画像と位置合せされた被照合印影画像とで切替わる。
【００２５】
表示制御部９は、印影切替部８から得た、ずらされた登録印影画像または位置合せされた被照合印影の画像を、表示メモリ等を介してＣＲＴ等に表示する。
【００２６】
（Ａ−２）本実施形態の動作
図２は、本発明の実施形態の動作を示すフローチャートである。
【００２７】
まず、印鑑照合判定者は、口座番号等から登録印鑑の印影画像を登録印保持部１に読み出し（ステップ１）、スキャナー等を使って被照合印鑑の印影画像を読み取り被照合印保持部２に記憶させる（ステップ２）。
【００２８】
次に、位置合せ量算出部３は、登録印保持部１と被照合印保持部２からそれぞれ登録印影画像と被照合印影画像を受け取り、印影画像の中心点と向きを合せるための位置合せ量（平行移動量と回転角度）を求める（ステップ３）。位置合せ処理部４は、ステップ３で求めた位置合せ量（平行移動量と回転量）に従って被照合印保持部２から取出した被照合印影画像を位置合せした画像を生成する（ステップ４）。
【００２９】
ずらし量発生部５は、登録印影画像を被照合印影画像に対し平行移動して表示するためのずらし量（平行移動量）を発生させる（ステップ５）。ずらし処理部６は、ステップ５で求めたずらし量に基づき、登録印保持部１から取出した登録印影画像を平行移動した画像を生成する（ステップ７）。
【００３０】
印影切替部７は、内部に持つ印影切替フラグの値に従い、切替え信号を発生し、フラグ値がＯＮの場合とＯＦＦの場合で処理を切替える（ステップ６）。印影切替フラグのフラグ値がＯＮの場合、ずらし処理部６から登録印影画像を受け取り表示制御部９へ出力することによりＣＲＴ等の表示装置にずらされた登録印影画像を表示する（ステップ８）。ステップ７において、印影切替フラグのフラグ値がＯＦＦの場合、位置合せ処理部４から被照合印影画像を受け取り表示制御部９へ出力することによりＣＲＴ等の表示装置に位置合せされた被照合印影画像を表示する（ステップ９）。
【００３１】
ステップ１０で、印鑑照合判定者が印影画像の表示を終了する指示をしているかを判定し、終了を指示している場合は処理を終了し、終了を指示していない場合にはステップ７へ戻る。
【００３２】
なお、ステップ７において、切替信号発生部７から時間周期毎に切替え信号が発生され印影切替部８において印影選択フラグのフラグ値が反転されるため、切替え信号の発生毎に分岐する先が切り替わる。
【００３３】
本発明の実施形態において、登録印影画像をずらして表示したが、ずらす印影画像は登録印影画像に限定されず、被照合印影画像をずらして表示しても良い。また、登録印影画像と照合印影画像の位置合せにおいて、被照合印影画像を平行移動および回転したが、平行移動および回転は被照合印影画像に限定されず、登録印影画像を平行移動および回転しても良い。
【００３４】
また、ずらし量である距離および方向は任意に設定できるものであり、移動量は視覚が平行移動と知覚する程度の任意の量で良い。
【００３５】
【発明の効果】
以上のように、本発明によれば、ずらし量発生部５とずらし処理部６を設け、登録印影画像または被照合印影画像をずらして表示するように構成したことで、朱肉の付着具合や押印むら、帳票の伸縮、スキャナー読取りによる画像の歪み等による登録印影画像と被照合印影画像の微妙な差が発生している場合でも、印影画像の微妙な差が印影の変形と視覚認識されることを軽減でき、同じ印鑑による印影を異なる印鑑と判別してしまう誤判別をなくすことができる。
【００３６】
また、位置合せした印影画像を、数画素程度ずらすことは、視覚特性により平行移動として認識され、その平行移動された画像どうしを脳内で比較するので印影の照合判定の妨げとはならない。さらに、数画素程度のずらしを平行移動と認識する過程では、印影の微妙な差は認識されない。
【図面の簡単な説明】
【図１】本発明の印鑑照合装置の実施形態を示すブロック図である。
【図２】本発明の印鑑照合装置の実施形態の動作を示すフローチャートである。
【図３】登録印影画像を被照合印影画像に対し２ｍｍ上方に平行移動した場合を示す図である。
【符号の説明】
１・・登録印保持部、２・・被照合印保持部、３・・位置合せ量算出部、４・・位置合せ処理部、５・・ずらし量発生部、６・・ずらし処理部、７・・切替信号発生部、８・・印影切替部、９・・表示制御部。
【図１】
0003576011.tif 000002
【図２】
0003576011.tif 000003
【図３】
0003576011.tif 000004